(57)【要約】【課題】精度の高い画像補正処理を高速に行え被写体の色を忠実に再現する。【解決手段】撮像手段２が入射された光学像を光電変換して画像データを出力し、天気情報検知手段７が撮影時の天気情報を検出し、制御手段４が、撮影時に撮像手段２により出力された画像データを記憶手段５に記憶し、天気情報検出手段７により検出された天気情報を記憶手段５に記憶すると共に、プリントアウトの際に記憶手段５に記憶されている画像データ及び天気情報を読み出す。【選択図】　　　　図１
2004048577.tif 000002
【特許請求の範囲】
【請求項１】
入射された光学像を光電変換して画像データを出力する撮像手段と、
撮影時の天気情報を検出する天気情報検出手段と、
撮影時に上記撮像手段により出力された画像データを記憶手段に記憶し、上記天気情報検出手段により検出された天気情報を上記記憶手段に記憶すると共に、上記記憶手段に記憶されている画像データ及び天気情報を読み出す制御手段とを備えた電子スチルカメラ。
【請求項２】
天気情報検出手段は天気情報として、気温及び気圧、又は気温若しくは気圧を検知することを特徴とする請求項１記載の電子スチルカメラ。
【請求項３】
入射された光学像を光電変換して画像データを出力する撮像手段と、
撮影時の天気情報を携帯電話機を介して受信する通信手段と、
撮影時に上記撮像手段により出力された画像データを記憶手段に記憶し、上記通信手段に携帯電話機を介して天気情報を受信するよう指示し、上記通信手段により受信された天気情報を上記記憶手段に記憶すると共に、上記記憶手段に記憶されている画像データ及び天気情報を読み出す制御手段とを備えた電子スチルカメラ。
【請求項４】
入射された光学像を光電変換して画像データを出力する撮像手段と、
撮影時の位置情報を携帯電話機を介して受信する通信手段と、
撮影時に上記撮像手段により出力された画像データを記憶手段に記憶し、上記通信手段に携帯電話機を介して位置情報を受信するよう指示し、上記通信手段により受信された位置情報と保有している時刻情報を上記記憶手段に記憶すると共に、上記記憶手段に記憶されている画像データ、位置情報及び時刻情報を読み出す制御手段とを備えた電子スチルカメラ。
【発明の詳細な説明】
【０００１】
【発明の属する技術分野】
この発明は被写体を撮影し画像データを出力する電子スチルカメラに関するものである。
【０００２】
【従来の技術】
従来の電子スチルカメラは、撮影した画像を即座に確認できると共に、撮影後の画像加工が容易にできるという点で有用であるが、ユーザにとっては、パソコンやプリンタを使用してプリントアウトしなければならず、画像出力操作の簡易化が望まれている。
【０００３】
この問題を解決する従来技術として、特開２０００−３５０１３７公報に開示された「電子スチルカメラ、および記録画像再生サービス方法」がある。これは、貸与された電子スチルカメラで撮影された画像をプリントショップでプリントアウトしてユーザに提供するもので、この方法により、ユーザはプリントショップに電子スチルカメラを持ち込み、プリントを依頼するだけでプリントアウトすることができ、ユーザにとっては、プリントアウト操作の手間を削減できるものである。
【０００４】
また、このような電子スチルカメラにおいて、撮影画像の色合いを適正にするために、撮影した画像データに対して撮影条件に対応した画像補正処理、いわゆるホワイトバランス調整処理が一般的に行われている。この画像補正処理の方法としては、電子スチルカメラに備えた色センサから光源の色温度を推定して撮影した画像データに対し画像補正処理を行うものと、光学レンズを介して撮影した画像データから画素を積分して白を抽出して画像補正処理を行う方法がある。
【０００５】
しかし、このような画像補正処理では色温度情報が正確でないため誤差を生じやすく、また、実施可能な回路規模の制約から、電子スチルカメラ自体で処理するには限界がある。
【０００６】
【発明が解決しようとする課題】
従来の電子スチルカメラは以上のように構成されているので、プリントアウトの操作の手間を削減することはできるが、撮影した画像データに対して精度の高い画像補正処理を高速に行うことができず、被写体の色を忠実に再現することができないという課題があった。
【０００７】
この発明は上記のような課題を解決するためになされたもので、プリントアウトの操作の手間を削減できると共に、撮影した画像データに対して精度の高い画像補正処理を高速に行え被写体の色を忠実に再現することができる電子スチルカメラを得ることを目的とする。
【０００８】
【課題を解決するための手段】
この発明に係る電子スチルカメラは、入射された光学像を光電変換して画像データを出力する撮像手段と、撮影時の天気情報を検出する天気情報検出手段と、撮影時に撮像手段により出力された画像データを記憶手段に記憶し、天気情報検出手段により検出された天気情報を記憶手段に記憶すると共に、記憶手段に記憶されている画像データ及び天気情報を読み出す制御手段とを備えたものである。
【０００９】
この発明に係る電子スチルカメラは、天気情報検出手段が天気情報として、気温及び気圧、又は気温若しくは気圧を検知するものである。
【００１０】
この発明に係る電子スチルカメラは、入射された光学像を光電変換して画像データを出力する撮像手段と、撮影時の天気情報を携帯電話機を介して受信する通信手段と、撮影時に撮像手段により出力された画像データを記憶手段に記憶し、通信手段に携帯電話機を介して天気情報を受信するよう指示し受信された天気情報を記憶手段に記憶すると共に、記憶手段に記憶されている画像データ及び天気情報を読み出す制御手段とを備えたものである。
【００１１】
この発明に係る電子スチルカメラは、入射された光学像を光電変換して画像データを出力する撮像手段と、撮影時の位置情報を携帯電話機を介して受信する通信手段と、撮影時に撮像手段により出力された画像データを記憶手段に記憶し、通信手段に携帯電話機を介して位置情報を受信するよう指示し、通信手段により受信された位置情報と保有している時刻情報を記憶手段に記憶すると共に、記憶手段に記憶されている画像データ、位置情報及び時刻情報を読み出す制御手段とを備えたものである。
【００１２】
【発明の実施の形態】
以下、この発明の実施の一形態を説明する。
実施の形態１．
図１はこの発明の実施の形態１による電子スチルカメラの構成を示すブロック図である。図において、１は画像を結像する光学レンズでパンフォーカス等のレンズが使用される。２は光学レンズ１により入射された光学像を光電変換して画素単位の画像データを出力する撮像手段である。撮像手段２としてはＣ−ＭＯＳセンサやＣＣＤ等の種々のイメージセンサが使用される。３は光電変換された画素の輝度信号の平均値を求める輝度計算手段である。
【００１３】
また、図１において、４は電子スチルカメラ全体を制御するマイコン等で構成された制御手段、５はＤＲＡＭ等のメモリにより構成され撮像手段から出力された画像データを記憶する記憶手段、６は充電可能な蓄電池等を使用した電源部、７は気温を検知する気温センサ及び気圧を検知する気圧センサにより構成され天気情報を検知する天気情報検知手段、８はシャッター、９はＬＥＤ等により構成された表示手段、１０は記憶手段５に記憶されている画像データを外部に出力する外部インタフェース部である。
【００１４】
次に動作について説明する。
制御手段４は、輝度計算手段３により計算された輝度信号の平均値を用いて、制御手段４で電化蓄積の適正時間を決定し光電変換の時間を決定する。シャッター８が押されると、制御手段４は撮像手段２で取得された画像データを記憶手段５に記憶する。
【００１５】
また、シャッター８が押され被写体を撮影した際に、制御手段４は、天気情報検知手段７の気温センサから気温データを取得し、気圧センサから気圧データを取得して、取得した気温データ及び気圧データを撮影した画像データと共に記憶手段５に記憶する。
【００１６】
ＬＥＤ等の表示手段９は制御手段４の制御でオンオフされ、記憶手段５に記憶されている画像データにより残りのメモリ容量が少なくなった場合や、撮影した画像データが暗すぎたり明るすぎたりして撮影を失敗した場合等に、各状態に応じた点灯パターンでユーザに知らせる。
【００１７】
プリントショップ等で撮像した画像をプリントアウトする際には、制御手段４は、記憶手段５に記憶されている画像データとその画像データに対応する気温データ及び気圧データを、外部インタフェース部１０から出力する。プリントショップ等のパソコンでは、電子スチルカメラから出力された気温データ及び気圧データを使用して、季節や晴れ、曇り等を判定し、色温度を推定して対応する画像データの画像補正処理を行う。
【００１８】
この実施の形態１では、天気情報検知手段７として、気温センサ及び気圧センサを使用して気温及び気圧を検知しているが、気温センサ又は気圧センサのどちらか一方を使用しても良い。
【００１９】
記憶手段５としてＤＲＡＭ等の揮発性メモリを使用し、電源部６として充電可能な蓄電池を使用する場合には、記憶手段５に記憶されている画像データの保存期限が蓄電池の放電期間で決定するために、プリントショップ等での早期のプリントアウトをユーザに促すこともできる。
【００２０】
制御手段４が画像データを記憶手段５に記憶する場合、又は記憶手段５に記憶されている画像データを外部インタフェース部１０から出力する場合に、制御手段４が画像データをプリントショップ独自のフォーマットで出力する等、暗号化を行うことにより、そのプリントショップ以外で画像データの取り出しを不可能とすることもできる。
【００２１】
以上のように、この実施の形態１によれば、制御手段４は、撮影時に、天気情報検知手段７から気温データや気圧データを取得して、撮影した画像データと共に記憶しておくことにより、プリントショップ等でプリントアウトする際に、設置されているパソコンで、気温データや気圧データを使用して画像データの画像補正処理を高速に精度良く行うことができ、被写体の色を忠実に再現することができるという効果が得られる。
【００２２】
実施の形態２．
図２はこの発明の実施の形態２による電子スチルカメラの構成を示すブロック図であり、図において、１１は電子スチルカメラのユーザが携帯している携帯電話機と通信を行う通信手段であり、その他の構成は実施の形態１の図１に示す構成から天気情報検知手段７を削除したものと同様である。この通信手段１１の携帯電話機との通信接続方法としては、無線で接続しても良いし、携帯電話機を直接この電子スチルカメラに差し込み有線で接続するようにしても良い。
【００２３】
次に動作について説明する。
撮像時の制御手段４による画像データの記憶手段５への記憶処理は実施の形態１と同様である。また、撮影時に、制御手段４は通信手段１１を介して携帯電話機に、基地局及びインターネット経由で天気情報を取得するよう指示する。基地局は把握している携帯電話機の位置情報を基に、インターネットを介して該当するサイトから天気情報を取得して携帯電話機に送信する。電子スチルカメラの通信手段１１は携帯電話機より天気情報を受信し、制御手段４は撮影した画像データと共に受信した天気情報を記憶手段５に記憶する。
【００２４】
プリントショップ等で撮影した画像データをプリントアウトする際には、制御手段４は、記憶手段５に記憶されている画像データとその画像データに対応する天気情報を、外部インタフェース部１０から出力する。プリントショップ等のパソコンでは、電子スチルカメラから出力された天気情報の気温データや気圧データを使用して、季節や晴れ、曇り等を判定し、色温度を推定して対応する画像データの補正処理を行う。
【００２５】
この実施の形態２では、撮影時に制御手段４は通信手段１１を介して携帯電話機に天気情報を取得するよう指示しているが、携帯電話機に基地局が把握している携帯電話機の位置情報を取得するよう指示を出し、制御手段４が受信した携帯電話機の位置情報と、電子スチルカメラ自身が保有している時刻情報を、画像データと共に記憶手段５に記憶し、プリントショップ等で撮像した画像をプリントアウトする際に、プリントショップ等のパソコンが、記憶手段５から出力された携帯電話機の位置情報と時刻情報を基に天気情報を取得するようにしても良い。
【００２６】
以上のように、この実施の形態２によれば、制御手段４は、撮影時に、通信手段１１を介して携帯電話機から天気情報又は携帯電話機の位置情報を取得し、撮影した画像データと共に、天気情報、又は携帯電話機の位置情報と時刻情報を記憶しておくことにより、プリントショップ等でプリントアウトする際に、設置されているパソコンで、画像データの画像補正処理を高速に精度良く行うことができ、被写体の色を忠実に再現することができるという効果が得られる。
【００２７】
【発明の効果】
以上のように、この発明によれば、プリントショップ等でプリントアウトする際に、設置されているパソコンで、画像データの画像補正処理を高速に精度良く行うことができ、被写体の色を忠実に再現することができるという効果がある。
【図面の簡単な説明】
【図１】この発明の実施の形態１による電子スチルカメラの構成を示すブロック図である。
【図２】この発明の実施の形態２による電子スチルカメラの構成を示すブロック図である。
【符号の説明】
１　光学レンズ、２　撮像手段、３　輝度計算手段、４　制御手段、５　記憶手段、６　電源部、７　天気情報検知手段、８　シャッター、９　表示手段、１０　外部インタフェース部、１１　通信手段。
【図１】
2004048577.tif 000003
【図２】
2004048577.tif 000004